【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
バスドラム（１０）と、スネアドラム（２０）と、ハイハットスタンド（３０）とを備えるアコースティックドラムキット（１）であって、
前記スネアドラム（２０）は、平行六面体の全体外形形状をなし、
前記ハイハットスタンド（３０）は、平行六面体の全体外形形状をなす台座（３１）を含み、
前記バスドラム（１０）は、離間位置とコンパクト位置との間で互いに移動可能な２個の部品（１１,１２）を含み、
前記離間位置は、前記アコースティックドラムキット（１）の演奏形態において、前記バスドラム（１０）の前記２個の部品（１１,１２）が、平行六面体の全体外形形状の前記バスドラム（１０）を共同して提供し、ほぼ平行六面体をなす自由なバスドラムの共鳴容積（Ｖ１０）を部品間に共同して規定し、前記スネアドラム（２０）が前記バスドラム（１０）と前記ハイハットスタンド（３０）の前記台座（３１）とに対して取り外し可能に固定される位置であり、
前記コンパクト位置は、前記アコースティックドラムキット（１）の収納または運搬形態において、前記バスドラム（１０）の前記２個の部品（１１,１２）が、平行六面体の全体外形形状の前記バスドラム（１０）を共同して提供し、ほぼ平行六面体をなす収納容積を部品間に共同して規定し、前記収納容積は前記バスドラムの共鳴容積（Ｖ１０）より小さく、前記ハイハットスタンド（３０）の前記台座（３１）内に収容される前記スネアドラム（２０）と前記ハイハットスタンド（３０）とによって占められる位置であり、
前記バスドラム（１０）と前記スネアドラム（２０）とは、前記アコースティックドラムキット（１）の演奏形態において、前記スネアドラム（２０）を前記バスドラム（１０）上に取り外し可能に固定するのに適した第１の固定手段（１１４,２７）を備え、
前記ハイハットスタンド（３０）の前記台座（３１）と前記スネアドラム（２０）とは、前記アコースティックドラムキット（１）の演奏形態において、前記第１の固定手段（１１４,２７）と離して、前記スネアドラム（２０）を前記ハイハットスタンド（３０）の前記台座（３１）上に取り外し可能に固定するのに適した第２の固定手段（３６,２８）を備えた、
ことを特徴とするアコースティックドラムキット。
【請求項２】
前記バスドラム（１０）の前記２個の部品（１１,１２）は、雌部品（１１）と前記雌部品（１１）内に入れ子になることができる雄部品（１２）とからなり、前記離間位置において前記雌部品（１１）内に前記雄部品（１２）がわずかに部分的に入れ子になり、前記コンパクト位置において前記雄部品（１２）が前記雌部品（１１）内に、より多い部分で入れ子になる、ことを特徴とする請求項１に記載のアコースティックドラムキット。
【請求項３】
前記コンパクト位置における前記バスドラム（１０）の前記平行六面体の全体外形形状は３０ｃｍ×４５ｃｍ×１８ｃｍの寸法を有することを特徴とする請求項１または請求項２に記載のアコースティックドラムキット。
【請求項４】
前記バスドラム（１０）の前記２個の部品（１１,１２）の一方の部品（１１）は打撃パネル（１３）を備えるとともに、前記バスドラム（１０）の前記２個の部品（１１,１２）の他方の部品（１２）は、貫通孔（１８Ａ）が設けられた音響放出パネル（１８）を備える、ことを特徴とする請求項１乃至請求項３のいずれか１項に記載のアコースティックドラムキット。
【請求項５】
前記バスドラム（１０）の前記２個の部品（１１,１２）の一方の部品（１１）には、利用位置と収納位置との間で、前記バスドラム（１０）の当該部品のレストに対して移動可能な移動パネル（１７）が設けられ、前記利用位置においては前記バスドラム（１０）の前記２個の部品（１１,１２）が前記離間位置にある時に、前記移動パネル（１７）は、前記アコースティックドラムキット（１）の演奏形態において、前記バスドラム（１０）の前記２個の部品（１１,１２）の他方の部品（１２）と協働することで保持されながら、前記スネアドラム（２０）をそこに固定するために展開するように前記レストを占めるとともに、前記収納位置においては前記バスドラム（１０）の前記２個の部品（１１,１２）が前記コンパクト位置にある時に、前記アコースティックドラムキット（１）の収納または運搬形態において、前記スネアドラム（２０）と前記ハイハットスタンド（３０）と干渉しないように前記移動パネル（１７）が引き込められるように前記レストを占める、ことを特徴とする請求項１乃至請求項４のいずれか１項に記載のアコースティックドラムキット。
【請求項６】
前記アコースティックドラムキット（１）は、さらに前記バスドラム（１０）の前記２個の部品（１１,１２）の一方の部品（１１）に組み込まれたタムタム（１７）を含むことを特徴とする請求項１乃至請求項５のいずれか１項に記載のアコースティックドラムキット。
【請求項７】
前記移動パネル（１７）は打撃プレート（１７.１）と、貫通孔（１７Ａ）が設けられた音響出力プレート（１７.２）とを含む前記タムタム（１７）を形成し、両プレート間に独立した自由なタムタムの共鳴容積を形成することを特徴とする請求項５に従属する請求項６に記載のアコースティックドラムキット。
【請求項８】
前記スネアドラム（２０）は、貫通孔（２２Ａ）が設けられた音響出力パネル（２２）と、打撃パネル（２１）であって、当該打撃パネル（２１）の方を向いたその表面上に、少なくとも１個の響線（２６）が設けられた、打撃パネル（２１）とを含み、前記音響出力パネル（２２）と前記打撃パネル（２１）との間にスネアドラムの独立した自由な共鳴容積（Ｖ２０）を形成する、ことを特徴とする請求項１乃至請求項７のいずれか１項に記載のアコースティックドラムキット。
【請求項９】
前記第１の固定手段（１１４,２７）は、少なくとも２つの異なる調整位置に、前記スネアドラム（２０）を前記バスドラム（１０）上に固定するのに適していることを特徴とする請求項１乃至請求項８のいずれか１項に記載のアコースティックドラムキット。
【請求項１０】
前記ハイハットスタンド（３０）の前記台座（３１）は、前記コンパクト位置において前記バスドラム（１０）の前記２個の部品（１１,１２）間に入れ子になることができ、前記スネアドラム（２０）は、前記アコースティックドラムキット（１）の収納または運搬形態において前記台座（３１）内で入れ子になることができる、ことを特徴とする請求項１乃至請求項９のいずれか１項に記載のアコースティックドラムキット。
【請求項１１】
前記ハイハットスタンド（３０）は、前記アコースティックドラムキット（１）の演奏形態において前記台座（３１）とハイハットシンバル（３）間に挿入されるとともに、前記アコースティックドラムキット（１）の収納または運搬形態において前記台座（３１）内に収容されるスペーサー（３８）をさらに含むことを特徴とする請求項１乃至請求項１０のいずれか１項に記載のアコースティックドラムキット。
【請求項１２】
前記ハイハットスタンド（３０）は、展開位置と引き込み位置との間で、前記台座（３１）に対して、その長手方向に沿って移動可能な、上側ハイハットシンバル（４）をコントロールするためのロッド（３１０）を含み、前記展開位置においては、前記アコースティックドラムキット（１）の演奏形態において前記上側ハイハットシンバル（４）を固定するために、前記台座（３１）の反対側に位置する前記スペーサー（３８）の端部から前記ロッド（３１０）が出現するまで、前記ロッド（３１０）は前記台座（３１）の外に出て前記スペーサー（３８）を通って延在するとともに、前記引き込み位置においては、前記アコースティックドラムキット（１）の収納または運搬形態において前記ロッド（３１０）が前記台座（３１）内に収納される、ことを特徴とする請求項１１に記載のアコースティックドラムキット。
【請求項１３】
前記ハイハットスタンド（３０）は、さらに前記アコースティックドラムキット（１）の演奏形態において前記台座（３１）に対して、前記ロッド（３１０）を前記展開位置で移動させるのに適したペダル（３２０）を含み、前記ロッド（３１０）は前記アコースティックドラムキット（１）の収納または運搬形態において前記台座（３１）内に収容されることを特徴とする請求項１２に記載のアコースティックドラムキット。
【請求項１４】
前記バスドラム（１０）と、前記スネアドラム（２０）と、前記ハイハットスタンド（３０）の総重量は、５．７ｋｇ未満であることを特徴とする請求項１乃至請求項１３のいずれか１項に記載のアコースティックドラムキット。
【請求項１５】
請求項１乃至請求項１４のいずれか１項に記載のアコースティックドラムキット（１）と、
バスドラムペダルと、
一組のハイハットシンバル（２）と、
一組のドラムスティックあるいはブラシと、
を含む楽器の構成。
【手続補正２】
【補正対象書類名】明細書
【補正対象項目名】０００８
【補正方法】変更
【補正の内容】
【０００８】
本発明は、また請求項１５に定義したように、楽器の構成にかかるものである。